(57)【要約】  本発明は、歩行またはランニング中にランナーまたは歩行者に対して歩行またはランニング速度（ｖ）を信号化するための方法であって、ランナーまたは歩行者は衣服（１）を着用する、方法に関する。本発明に従って、歩行者またはランナーに自身の実際の歩行またはランニング速度について便利に通知するために、方法は、ａ）ランナーまたは歩行者によって着用されるまたは携帯される速度計（２）によって実際の速度（ｖ）を判断することと、ｂ）実際の速度（ｖ）を光信号に変換することであって、光信号は速度（ｖ）に対応する、変換することと、ｃ）衣服（１）に取り付けられるまたは組み込まれる発光素子（３）によって光信号を表示することと、を含む。さらに、本発明は、歩行またはランニング速度を信号化するためのランナーまたは歩行者用デバイスに関する。【選択図】図１
2020505964.tif 000002
【特許請求の範囲】
【請求項１】
歩行またはランニング中にランナーまたは歩行者に対して歩行またはランニング速度（ｖ）を信号化するための方法であって、前記ランナーまたは歩行者は衣服（１）を着用し、前記方法は、
ａ）前記ランナーまたは歩行者によって着用されるまたは携帯される速度計（２）によって実際の前記速度（ｖ）を判断することと、
ｂ）前記実際の速度（ｖ）を光信号に変換することであって、前記光信号は前記速度（ｖ）に対応する、変換することと、
ｃ）前記衣服（１）に取り付けられるまたは組み込まれる発光素子（３）によって前記光信号を表示することと、を含むことを特徴とする、方法。
【請求項２】
歩行またはランニング中にランナーまたは歩行者に対して歩行またはランニング速度（ｖ）を信号化するための方法であって、前記ランナーまたは歩行者は衣服（１）を着用し、前記方法は、
ａ）前記ランナーまたは歩行者によって着用されるまたは携帯される速度計（２）によって実際の前記速度（ｖ）を判断することと、
ｂ）前記実際の速度（ｖ）と所定の基準速度（ｖ0）との間の速度差（Δｖ）を算出することと、
ｃ）前記速度差（Δｖ）を光信号に変換することであって、前記光信号は前記速度差（Δｖ）に対応する、変換することと、
ｄ）前記衣服（１）に取り付けられるまたは組み込まれる発光素子（３）によって前記光信号を表示することと、を含むことを特徴とする、方法。
【請求項３】
前記速度計は、ＧＰＳモジュール（４）を有する電子デバイスを含むまたは電子デバイスであり、前記実際の速度（ｖ）は、前記ＧＰＳモジュール（４）によって検出される位置の変化、および前記位置の変化中に経過した時間によって判断されることを特徴とする、請求項１または２に記載の方法。
【請求項４】
携帯電話（５）の一部であるＧＰＳモジュール（４）が使用されることを特徴とする、請求項３に記載の方法。
【請求項５】
速度判断は、前記携帯電話（５）におけるアプリによって行われることを特徴とする、請求項４に記載の方法。
【請求項６】
前記実際の速度（ｖ）または前記速度差（Δｖ）を前記光信号に変換することは、前記携帯電話（５）におけるアプリによって行われることを特徴とする、請求項４または５に記載の方法。
【請求項７】
請求項１に記載のステップｂ）、または請求項２に記載のステップｃ）において、前記実際の速度（ｖ）または速度差（Δｖ）に応じて前記光信号の強度を定めることによって、前記変換が行われることを特徴とする、請求項１から６のいずれか一項に記載の方法。
【請求項８】
請求項１に記載のステップｂ）、または請求項２に記載のステップｃ）において、前記実際の速度（ｖ）または速度差（Δｖ）に応じて前記光信号に対する周期的中断フェーズを定めることによって、前記変換が行われることを特徴とする、請求項１から６のいずれか一項に記載の方法。
【請求項９】
請求項１に記載のステップｂ）、または請求項２に記載のステップｃ）において、前記実際の速度（ｖ）または速度差（Δｖ）に応じて前記光信号の少なくとも１つの所定の色を定めることによって、変換が行われることを特徴とする、請求項１から６のいずれか一項に記載の方法。
【請求項１０】
前記実際の速度（ｖ）が前記基準速度（ｖ0）の第１の所定の割合を下回る場合に第１の色が表示され、かつ、前記実際の速度（ｖ）が前記基準速度（ｖ0）の第２の所定の割合を上回る場合に前記第１の色と異なる第２の色が表示されることを特徴とする、請求項９に記載の方法。
【請求項１１】
前記第１の所定の割合および／または前記第２の所定の割合は、１％〜１０％であることを特徴とする、請求項１０に記載の方法。
【請求項１２】
前記実際の速度（ｖ）が前記基準速度（ｖ0）の前記第１の所定の割合を上回り、かつ前記基準速度（ｖ0）の前記第２の所定の割合を下回る場合に表示される光信号はないことを特徴とする、請求項１０または１１に記載の方法。
【請求項１３】
前記実際の速度（ｖ）が前記基準速度（ｖ0）の前記第１の所定の割合を上回り、かつ前記基準速度（ｖ0）の前記第２の所定の割合を下回る場合に、前記第１の色および前記第２の色と異なる第３の色が表示されることを特徴とする、請求項１０または１１に記載の方法。
【請求項１４】
前記第１の色は赤であることを特徴とする、請求項１０から１３のいずれか一項に記載の方法。
【請求項１５】
前記第２の色は青であることを特徴とする、請求項１０から１３のいずれか一項に記載の方法。
【請求項１６】
前記第３の色は緑であることを特徴とする、請求項１３から１５のいずれか一項に記載の方法。
【請求項１７】
歩行またはランニング中にランナーまたは歩行者に対して歩行またはランニング速度（ｖ）を信号化するための前記ランナーまたは歩行者用デバイスであって、
−前記ランナーまたは歩行者がランニングまたは歩行中に着用する衣服（１）と、
−前記衣服（１）に取り付けられるまたは組み込まれる少なくとも１つの発光素子（３）と、
−ＧＰＳモジュール（４）を含む携帯電話（５）を受けるまたは保持するための受け室（６）または保持デバイスと、
−前記携帯電話（５）によって放出される信号に従って前記少なくとも１つの発光素子（３）の作動を制御するための制御要素（７）と、
−前記制御要素（７）を前記携帯電話（５）と接続するための接続手段（８）と、を含み、
前記携帯電話（５）または前記制御要素（７）は、前記ランナーまたは歩行者の前記実際の速度（ｖ）を測定するための速度計（２）を含むことを特徴とする、デバイス。
【請求項１８】
前記接続手段（８）はブルートゥース（登録商標）接続を確立するための要素を含むことを特徴とする、請求項１７に記載のデバイス。
【請求項１９】
前記受け室（６）は前記衣服（１）の内側におけるポケットであることを特徴とする、請求項１７または１８に記載のデバイス。
【請求項２０】
前記少なくとも１つの発光素子（３）は、前記衣服（１）、特に、前記衣服（１）の腕袖（９、１０）に固定される光ファイバー、グラスファイバー、またはエレクトロルミネッセンス素子であることを特徴とする、請求項１７から１９のいずれか一項に記載のデバイス。
【請求項２１】
それぞれ１つの発光素子（３）は、前記衣服（１）の左領域および右領域に配置されることを特徴とする、請求項１７から２０のいずれか一項に記載のデバイス。
【請求項２２】
前記衣服（１）は、少なくとも、前記ランナーまたは歩行者の肘にまで達する２つの腕袖（９、１０）を有することを特徴とする、請求項１７から２１のいずれか一項に記載のデバイス。
【発明の詳細な説明】
【技術分野】
【０００１】
本発明は、歩行またはランニング中にランナーまたは歩行者に対して歩行またはランニング速度を信号化するための方法であって、ランナーまたは歩行者は衣服を着用する、方法に関する。さらに、本発明は、ランナーまたは歩行者に対して歩行またはランニング速度を信号化するためのデバイスに関する。
【背景技術】
【０００２】
特に、スポーツ活動中、ランナーまたは歩行者は、実際の歩行またはランニング速度を知ることに関心があることが多い。当技術分野において、例えば、腕時計のように設計される速度計が周知である。多くの場合、歩行者またはランナーが、自分の実際の速度に関する所望の情報を入手するために速度計のディスプレイを読まなければならない時にスポーツ活動が妨げられる。
【発明の概要】
【発明が解決しようとする課題】
【０００３】
よって、本発明の目的は、歩行者またはランナーに対して歩行者またはランナーの実際の速度に関する情報を歩行またはランニングが妨げられないまたは妨害されないような便利なやり方で変換することが可能である方法およびデバイスを提案することである。
【課題を解決するための手段】
【０００４】
本発明によるこの目的の解決策は、方法が、
ａ）ランナーまたは歩行者によって着用されるまたは携帯される速度計によって実際の速度を判断することと、
ｂ）実際の速度を光信号に変換することであって、光信号は速度に対応する、変換することと、
ｃ）衣服に取り付けられるまたは組み込まれる発光素子によって光信号を表示することと、を含むことを特徴とする。
【０００５】
わずかに修正された概念は、方法が、
ａ）ランナーまたは歩行者によって着用されるまたは携帯される速度計によって実際の速度を判断することと、
ｂ）実際の速度と所定の基準速度との間の速度差を算出することと、
ｃ）速度差を光信号に変換することであって、光信号は速度差に対応する、変換することと、
ｄ）衣服に取り付けられるまたは組み込まれる発光素子によって光信号を表示することと、を含むことを特徴とする。
【０００６】
すなわち、本発明によると、歩行者またはランナーの実際の速度、または設定された（所定の）所与の値に対する速度差は、衣服と接続される発光素子によって通信される。好ましくは、グラスファイバーおよび光ファイバーはそれぞれ（ここでは、エレクトロルミネッセンス素子も考慮に入れることができる）、衣服が上着などである場合、好ましくは衣服の腕袖にまで達する発光素子として使用されることで、歩行者またはランナーが発光素子を容易に見られるようにすることができる。歩行者またはランナーの実際の速度についての情報を入手するために速度計のディスプレイを読みことは必要ではない。具体的には、歩行者またはランナーの所望の設定速度が維持されるかどうかを便利なやり方で監視することが容易になる。
【０００７】
上着、特に、ランニング用上着などが好ましいが、本思想による概念を、例えば、ランニング用ズボンなどのような他の衣服に適用することも可能である。
【０００８】
好ましくは、速度計は、ＧＰＳモジュールを有する電子デバイスを含むまたは電子デバイスであり、ここで、実際の速度は、ＧＰＳモジュールによって検出される位置の変化、および位置の変化中に経過した時間によって判断される。
【０００９】
それによって、好ましくは、携帯電話（「スマートフォン」という用語がここでは同等に使用される）の一部であるＧＰＳモジュールが使用される。
【００１０】
速度判断は、携帯電話におけるアプリ（ソフトウェアアプリケーション）によって行われ得る。また、実際の速度または速度差を光信号に変換することは、携帯電話におけるアプリによって行われ得る。
【００１１】
実際の速度または速度差を設定速度に信号化するために、種々の可能性が推奨される。
【００１２】
第一に述べた方法による上記のステップｂ）、または第二に述べた方法による上記のステップｃ）において、実際の速度または速度差に応じて光信号の強度を定めることによって、変換が行われ得る（多かれ少なかれ、光強度は設定速度からの偏差に依存している）。
【００１３】
代替的には、実際の速度または速度差に応じて光信号に対する周期的中断フェーズを定めることによって、変換が行われ得る。中断の回数は、設定速度からの偏差の絶対値の大きさによって増加する可能性がある。
【００１４】
方法の具体的に好ましい実施形態では、実際の速度または速度差に応じて光信号の少なくとも１つの所定の色を定めることによって、変換が行われることが提案される。よって、歩行者またはランナーは、発光素子の実際の色を単に注視することによって自分の実際の速度についての情報を容易に入手できる。
【００１５】
この場合、特別な実施形態では、実際の速度と速度の所与の設定値との間の速度差が、実際の速度が基準速度の第１の所定の割合を下回る場合に第１の色が表示されるように、かつ、実際の速度が基準速度の第２の所定の割合を上回る場合に第１の色と異なる第２の色が表示されるように、信号化されることが示される。第１の所定の割合および／または第２の所定の割合は、好ましくは１％〜１０％である。
【００１６】
さらに、実際の速度が基準速度の第１の所定の割合を上回り、かつ基準速度の第２の所定の割合を下回る場合に表示できる光信号はない。このことは、実際の速度が、下限の速度を下回る基準速度の第１の割合、および上限の速度を上回る基準速度の第２の割合によって定められる許容差の範囲内にある場合に、表示される信号はないように理解されなければならない。下限より遅くなることによって第１の色が表示されることになり、上限より早くなることによって第２の色が表示されることになる。
【００１７】
すなわち、歩行者またはランナーが定められた許容限界の範囲内にある速度を維持する限り、発光素子を介して与えられる光信号はない。歩行者またはランナーの速度が述べられた第１の割合を下回って低減する場合、発光素子によって（好ましくは、グラスファイバーまたは光ファイバーによって）第１の色（好ましくは、赤）が表示され、歩行者またはランナーに対するメッセージは、遅すぎるである。歩行者またはランナーの速度が述べられた第２の割合を上回って増大する場合、発光素子によって（好ましくは、グラスファイバーまたは光ファイバーによって）第２の色（好ましくは、青）が表示され、歩行者またはランナーに対するメッセージは、早すぎるまたは十分早いである。
【００１８】
述べられた場合に光信号を表示しない代替策として、実際の速度が基準速度の第１の所定の割合を上回り、かつ基準速度の第２の所定の割合を下回る場合に、第１の色および第２の色と異なる第３の色が表示されることも、考慮に入れられ得る。
【００１９】
すなわち、例えば、「遅すぎる」場合に赤の光信号が与えられ、「許容上限より速い」場合に青の光信号が与えられ得る。速度が許容差の範囲内にある場合、緑の光信号が与えられる可能性があり、これは「設定範囲内の速度」を示している。
【００２０】
そのため、歩行者またはランナーは、速度計のいずれのディスプレイも読むことなく所望の速度を容易に維持できる。
【００２１】
歩行またはランニング中にランナーまたは歩行者に対して歩行またはランニング速度を信号化するためのランナーまたは歩行者用デバイスは、
−ランナーまたは歩行者がランニングまたは歩行中に着用する衣服と、
−衣服に取り付けられるまたは組み込まれる少なくとも１つの発光素子と、
−ＧＰＳモジュールを含む携帯電話を受けるまたは保持するための受け室または保持デバイスと、
−携帯電話によって放出される信号に従って少なくとも１つの発光素子の作動を制御するための制御要素と、
−制御要素を携帯電話と接続するための接続手段と、を含み、携帯電話または制御要素は、ランナーまたは歩行者の実際の速度を測定するための速度計を含むことを特徴とする。
【００２２】
携帯電話と、発光素子を制御する制御要素との間の通信は好ましくは、無線で行われる。接続手段は好ましくは、ブルートゥース（登録商標）接続を確立するための要素を含み、このことは、当技術分野では周知であるため、ここでは詳細に説明する必要はない。
【００２３】
受け室は好ましくは、衣服の内側におけるポケットである。代替的には、別の保持デバイスは、携帯電話を適所に維持するために使用可能である。
【００２４】
少なくとも１つの発光素子は好ましくは、衣服、特に、衣服の腕袖に固定される光ファイバーである。
【００２５】
それぞれ１つの発光素子は、衣服の左領域および右領域に配置可能である。
【００２６】
衣服は、好ましくは、少なくとも、ランナーまたは歩行者の肘にまで達する２つの腕袖を有する。
【００２７】
この方法ステップは、好ましくは、歩行者またはランナーに、自身の実際の速度に関する永久信号を示すために周期的に繰り返されかつ実行される。
【００２８】
衣服はランナーの上着であるのが好ましい。しかしながら、本思想による概念は、当然ながら、例えば、ランナー用ズボンのような他の衣服にも適用可能である。
【００２９】
よって、本発明は、ＧＰＳナビゲーション機能を有するスマートフォンを使用して、ランナーまたは歩行者が自分の実際の速度に関する情報を入手するための効果的なツールを供給する思想に基づいている。この情報は光信号によって通信される。
【００３０】
よって、特に、身体トレーニング（ランニング）中に支援するためにスマートフォンが使用されることは、本発明の概念の重要な態様である。有益には、２つの別個の光学素子（光ファイバー／グラスファイバー／エレクトロルミネッセンス素子）は、速度情報を容易なやり方で可視にするために衣服において衣服の袖上に定着させる。
【００３１】
光学素子（光ファイバー／グラスファイバー）は、身体トレーニング中に着用されるスマートフォンと通信するブルートゥース（登録商標）デバイスと接続される。スマートフォンによって制御されるこの状況によると、ブルートゥース（登録商標）を介してスマートフォンからこの情報を入手する制御要素によって別個の光ファイバーに光が放出される。そのため、実際の速度、および具体的には、実際の速度と設定される（所定の）速度との間の差は述べられたやり方で表示可能である。
【００３２】
本発明はここでは、当該衣服を着用する歩行者またはランナーに言及しているが、当然ながら、スキーヤーまたはサイクリストのようなある特定の速度または速力を有するスポーツを行うアスリート全てに対しても適用可能でありかつ特許請求される。
【００３３】
図面において、本発明の一実施形態が示されている。
【図面の簡単な説明】
【００３４】
【図１】ランニング用上着であるスポーツ用衣服の正面図である。
【図２】本発明によるスポーツ用衣服の一部を概略的に示す図である。
【発明を実施するための形態】
【００３５】
図１において、ランナーの上着である衣服１は、２つの（長い）腕袖９および１０を有するように示されている。衣服１の内側には、携帯電話５が挿入される受け室６（図２を参照）が配置される。光ファイバーである発光素子３（または２つの別々の発光素子３）は、衣服１の袖領域において延在するように衣服１に配置される。
【００３６】
図２において、配置の詳細が概略的に示される。衣服１における受け室６は、スマートフォン５が挿入されるように示される。スマートフォン５は、当技術分野で既知のように、ＧＰＳモジュール４を有し、すなわち、スマートフォン５の着用者の厳密な位置が検出可能である。ＧＰＳモジュール４は、速度計２と接続される（速度計２は、図示されるようにスマートフォン５の一部とすることができる、または制御要素７の一部とすることができる、以下を参照）。速度計２は、ＧＰＳモジュール４によってスマートフォン５の場所の変更を永続的に受信し、かつ内部クロックによって実際の速度を算出できる（ｖ＝Δｓ／Δｔであり、Δｓはｍにおける場所の差であり、Δｔは場所の差が生じた間に経過したｓにおける時間差である）。
【００３７】
スマートフォン５は、（本発明の場合ではブルートゥース（登録商標）接続である）制御手段８によって、衣服１に装備される制御要素７と通信できる。
【００３８】
歩行者またはランナーに対する実際の速度ｖ、または実際の速度と設定された所定の速度との実際の差（スマートフォン５または制御要素７において算出可能である）を表示するために、信号は、制御手段８を介して制御要素７に通信される。制御要素７は、制御要素７によって切り換え可能であるまたは影響され得る発光ダイオード（ＬＥＤ）１１を有する。ＬＥＤ１１は発光素子３と接続される。ＬＥＤ１１は具体的には、ＬＥＤの制御信号に従って種々の色の光を放出するように設計される。
【００３９】
その結果として、歩行者またはランナーの実際の速度ｖに従って、光信号は、発光素子３を介して歩行者またはランナーに出力可能である。
【００４０】
本発明の好ましい実施形態として、発光素子３は、衣服１の袖９、１０に組み込まれるまたは定着させるグラスファイバー／光ファイバーとして設計される。
【００４１】
述べたように、制御要素７は、発光ダイオード１１の色に影響するように設計可能である。よって、色または色変化である信号は、ユーザの実際の速度ｖ、または実際の速度と設定速度値との間の速度差と相関するシステムのユーザに与えられ得る。
【符号の説明】
【００４２】
１  衣服
２  速度計
３  発光素子
４  ＧＰＳモジュール
５  携帯電話／スマートフォン
６  受け室
７  制御要素
８  接続手段
９  腕袖
１０  腕袖
１１  発光ダイオード
ｖ  実際のランニング／歩行速度
ｖ0  基準速度
Δｖ  速度差（ｖ−ｖ0）
【図１】
2020505964.tif 000003
【図２】
2020505964.tif 000004
【手続補正書】
【提出日】令和1年11月20日(2019.11.20)
【手続補正１】
【補正対象書類名】明細書
【補正対象項目名】全文
【補正方法】変更
【補正の内容】
【発明の詳細な説明】
【技術分野】
【０００１】
本発明は、歩行またはランニング中にランナーまたは歩行者に対して歩行またはランニング速度を信号化するための方法であって、ランナーまたは歩行者は衣服を着用し、方法は、
ａ）ランナーまたは歩行者によって着用されるまたは携帯される速度計によって実際の速度を判断することと、
ｂ）実際の速度と所定の基準速度との間の速度差を算出することと、
ｃ）速度差を光信号に変換することであって、光信号は速度差に対応する、変換することと、
ｄ）発光素子によって光信号を表示することと、を含み、
ステップｃ）において、速度差に応じて光信号の少なくとも１つの所定の色を定めることによって、変換が行われ、
実際の速度が基準速度の第１の所定の割合を下回る場合に第１の色が表示され、
実際の速度が基準速度の第２の所定の割合を上回る場合に第１の色と異なる第２の色が表示され、
実際の速度が基準速度の第１の所定の割合を上回り、かつ基準速度の第２の所定の割合を下回る場合に、光信号は表示されず、または第１の色および第２の色と異なる第３の色が表示され、
速度計は、ＧＰＳモジュールを有する電子デバイスを含むまた電子デバイスであり、ここで、実際の速度は、ＧＰＳモジュールによって検出される位置の変化、および位置の変化中に経過した時間によって判断され、携帯電話（「スマートフォン」という用語がここでは同等に使用される）の一部であるＧＰＳモジュールが使用される、方法に関する。
【背景技術】
【０００２】
特に、スポーツ活動中、ランナーまたは歩行者は、実際の歩行またはランニング速度を知ることに関心があることが多い。当技術分野において、例えば、腕時計のように設計される速度計が周知である。多くの場合、歩行者またはランナーが、自分の実際の速度に関する所望の情報を入手するために速度計のディスプレイを読まなければならない時にスポーツ活動が妨げられる。
【０００３】
上述した種類の方法は、特許文献１から既知である。発光素子として、スポーツ活動中に実際の速度を読むことを複雑にする表示装置を有する出力デバイスが使用される。
【０００４】
別の方法は特許文献２から既知である。ここで、光ファイバー構造を備えた照明付きベストが開示されている。着用者には、スポーツ活動中の自身の律動が遅すぎる場合に光信号が与えられる。他の解決策は、特許文献３および特許文献４から既知である。
【先行技術文献】
【特許文献】
【０００５】
【特許文献１】欧州特許出願公開第２４０７２１８号
【特許文献２】米国特許出願公開第２０１４／００７８７７３号
【特許文献３】米国特許出願公開第２０１６／０３１７１０１号
【特許文献４】国際公開第２０１６／０７４６８９号パンフレット
【発明の概要】
【発明が解決しようとする課題】
【０００６】
よって、本発明の目的は、歩行者またはランナーに対して歩行者またはランナーの実際の速度に関する情報を歩行またはランニングが妨げられないまたは妨害されないような便利なやり方で変換することが可能である方法およびデバイスを提案することである。
【課題を解決するための手段】
【０００７】
本発明によるこの目的の解決策は、
上記のステップｄ）に従って光信号を表示することが、衣服に取り付けられるまたは組み込まれるグラスファイバーまたは光ファイバーの形態の発光素子によって行われることを特徴とする。
【０００８】
すなわち、本発明によると、設定された（所定の）所与の値に対する速度差は、衣服と接続される発光素子によって通信される。体的には、グラスファイバーおよび光ファイバーはそれぞれ、衣服が上着などである場合、好ましくは衣服の腕袖にまで達する発光素子として使用されることで、歩行者またはランナーが発光素子を容易に見られるようにすることができる。歩行者またはランナーの実際の速度についての情報を入手するために速度計のディスプレイを読みことは必要ではない。具体的には、歩行者またはランナーの所望の設定速度が維持されるかどうかを便利なやり方で監視することが容易になる。
【０００９】
上着、特に、ランニング用上着などが好ましいが、本思想による概念を、例えば、ランニング用ズボンなどのような他の衣服に適用することも可能である。
【００１０】
速度判断は、携帯電話におけるアプリ（ソフトウェアアプリケーション）によって行われ得る。また、速度差を光信号に変換することは、携帯電話におけるアプリによって行われ得る。
【００１１】
本発明による方法では、速度差に応じて光信号の少なくとも１つの所定の色を定めることによって、変換が行われることが提案される。よって、歩行者またはランナーは、発光素子の実際の色を単に注視することによって自分の実際の速度についての情報を容易に入手できる。
【００１２】
第１の所定の割合および／または第２の所定の割合は、好ましくは１％〜１０％である。
【００１３】
さらに、実際の速度が基準速度の第１の所定の割合を上回り、かつ基準速度の第２の所定の割合を下回る場合に表示される光信号はない。このことは、実際の速度が、下限の速度を下回る基準速度の第１の割合、および上限の速度を上回る基準速度の第２の割合によって定められる許容差の範囲内にある場合に、表示される信号はないように理解されなければならない。下限より遅くなることによって第１の色が表示されることになり、上限より早くなることによって第２の色が表示されることになる。
【００１４】
すなわち、歩行者またはランナーが定められた許容限界の範囲内にある速度を維持する限り、発光素子を介して与えられる光信号はない。歩行者またはランナーの速度が述べられた第１の割合を下回って低減する場合、発光素子によって（好ましくは、グラスファイバーまたは光ファイバーによって）第１の色（好ましくは、赤）が表示され、歩行者またはランナーに対するメッセージは、遅すぎるである。歩行者またはランナーの速度が述べられた第２の割合を上回って増大する場合、発光素子によって（好ましくは、グラスファイバーまたは光ファイバーによって）第２の色（好ましくは、青）が表示され、歩行者またはランナーに対するメッセージは、早すぎるまたは十分早いである。
【００１５】
述べられた場合に光信号を表示しない代替策として、実際の速度が基準速度の第１の所定の割合を上回り、かつ基準速度の第２の所定の割合を下回る場合に、第１の色および第２の色と異なる第３の色が表示されることも、考慮に入れられる。
【００１６】
すなわち、例えば、「遅すぎる」場合に赤の光信号が与えられ、「許容上限より速い」場合に青の光信号が与えられ得る。速度が許容差の範囲内にある場合、緑の光信号が与えられる可能性があり、これは「設定範囲内の速度」を示している。
【００１７】
そのため、歩行者またはランナーは、速度計のいずれのディスプレイも読むことなく所望の速度を容易に維持できる。
【００１８】
歩行またはランニング中にランナーまたは歩行者に対して歩行またはランニング速度を信号化するためのランナーまたは歩行者用デバイスは、
−ランナーまたは歩行者がランニングまたは歩行中に着用する衣服と、
−衣服に取り付けられるまたは組み込まれる少なくとも１つの発光素子と、
−ＧＰＳモジュールを含む携帯電話を受けるまたは保持するための受け室または保持デバイスと、
−携帯電話によって放出される信号に従って少なくとも１つの発光素子の作動を制御するための制御要素と、
−制御要素を携帯電話と接続するための接続手段と、を含み、
携帯電話または制御要素は、ランナーまたは歩行者の実際の速度を測定するための速度計を含むことを特徴とすることができる。
【００１９】
携帯電話と、発光素子を制御する制御要素との間の通信は好ましくは、無線で行われる。接続手段は好ましくは、ブルートゥース（登録商標）接続を確立するための要素を含み、このことは、当技術分野では周知であるため、ここでは詳細に説明する必要はない。
【００２０】
受け室は好ましくは、衣服の内側におけるポケットである。代替的には、別の保持デバイスは、携帯電話を適所に維持するために使用可能である。
【００２１】
少なくとも１つの発光素子は好ましくは、衣服、特に、衣服の腕袖に固定される光ファイバーである。
【００２２】
それぞれ１つの発光素子は、衣服の左領域および右領域に配置可能である。
【００２３】
衣服は、好ましくは、少なくとも、ランナーまたは歩行者の肘にまで達する２つの腕袖を有する。
【００２４】
この方法ステップは、好ましくは、歩行者またはランナーに、自身の実際の速度に関する永久信号を示すために周期的に繰り返されかつ実行される。
【００２５】
衣服はランナーの上着であるのが好ましい。しかしながら、本思想による概念は、当然ながら、例えば、ランナー用ズボンのような他の衣服にも適用可能である。
【００２６】
よって、本発明は、ＧＰＳナビゲーション機能を有するスマートフォンを使用して、ランナーまたは歩行者が自分の実際の速度に関する情報を入手するための効果的なツールを供給する思想に基づいている。この情報は光信号によって通信される。
【００２７】
よって、特に、身体トレーニング（ランニング）中に支援するためにスマートフォンが使用されることは、本発明の概念の重要な態様である。有益には、２つの別個の光学素子（光ファイバー／グラスファイバー／エレクトロルミネッセンス素子）は、速度情報を容易なやり方で可視にするために衣服において衣服の袖上に定着させる。
【００２８】
光学素子（光ファイバー／グラスファイバー）は、身体トレーニング中に着用されるスマートフォンと通信するブルートゥース（登録商標）デバイスと接続される。スマートフォンによって制御されるこの状況によると、ブルートゥース（登録商標）を介してスマートフォンからこの情報を入手する制御要素によって別個の光ファイバーに光が放出される。そのため、実際の速度、および具体的には、実際の速度と設定される（所定の）速度との間の差は述べられたやり方で表示可能である。
【００２９】
本発明はここでは、当該衣服を着用する歩行者またはランナーに言及しているが、当然ながら、スキーヤーまたはサイクリストのようなある特定の速度または速力を有するスポーツを行うアスリート全てに対しても適用可能でありかつ特許請求される。
【００３０】
図面において、本発明の一実施形態が示されている。
【図面の簡単な説明】
【００３１】
【図１】ランニング用上着であるスポーツ用衣服の正面図である。
【図２】本発明によるスポーツ用衣服の一部を概略的に示す図である。
【発明を実施するための形態】
【００３２】
図１において、ランナーの上着である衣服１は、２つの（長い）腕袖９および１０を有するように示されている。衣服１の内側には、携帯電話５が挿入される受け室６（図２を参照）が配置される。光ファイバーである発光素子３（または２つの別々の発光素子３）は、衣服１の袖領域において延在するように衣服１に配置される。
【００３３】
図２において、配置の詳細が概略的に示される。衣服１における受け室６は、スマートフォン５が挿入されるように示される。スマートフォン５は、当技術分野で既知のように、ＧＰＳモジュール４を有し、すなわち、スマートフォン５の着用者の厳密な位置が検出可能である。ＧＰＳモジュール４は、速度計２と接続される（速度計２は、図示されるようにスマートフォン５の一部とすることができる、または制御要素７の一部とすることができる、以下を参照）。速度計２は、ＧＰＳモジュール４によってスマートフォン５の場所の変更を永続的に受信し、かつ内部クロックによって実際の速度を算出できる（ｖ＝Δｓ／Δｔであり、Δｓはｍにおける場所の差であり、Δｔは場所の差が生じた間に経過したｓにおける時間差である）。
【００３４】
スマートフォン５は、（本発明の場合ではブルートゥース（登録商標）接続である）制御手段８によって、衣服１に装備される制御要素７と通信できる。
【００３５】
歩行者またはランナーに対する実際の速度ｖ、または実際の速度と設定された所定の速度との実際の差（スマートフォン５または制御要素７において算出可能である）を表示するために、信号は、制御手段８を介して制御要素７に通信される。制御要素７は、制御要素７によって切り換え可能であるまたは影響され得る発光ダイオード（ＬＥＤ）１１を有する。ＬＥＤ１１は発光素子３と接続される。ＬＥＤ１１は具体的には、ＬＥＤの制御信号に従って種々の色の光を放出するように設計される。
【００３６】
その結果として、歩行者またはランナーの実際の速度ｖに従って、光信号は、発光素子３を介して歩行者またはランナーに出力可能である。
【００３７】
本発明の好ましい実施形態として、発光素子３は、衣服１の袖９、１０に組み込まれるまたは定着させるグラスファイバー／光ファイバーとして設計される。
【００３８】
述べたように、制御要素７は、発光ダイオード１１の色に影響するように設計可能である。よって、色または色変化である信号は、ユーザの実際の速度ｖ、または実際の速度と設定速度値との間の速度差と相関するシステムのユーザに与えられ得る。
【符号の説明】
【００３９】
１  衣服
２  速度計
３  発光素子
４  ＧＰＳモジュール
５  携帯電話／スマートフォン
６  受け室
７  制御要素
８  接続手段
９  腕袖
１０  腕袖
１１  発光ダイオード
ｖ  実際のランニング／歩行速度
ｖ0  基準速度
Δｖ  速度差（ｖ−ｖ0）
【手続補正２】
【補正対象書類名】特許請求の範囲
【補正対象項目名】全文
【補正方法】変更
【補正の内容】
【特許請求の範囲】
【請求項１】
歩行またはランニング中にランナーまたは歩行者に対して歩行またはランニング速度（ｖ）を信号化するための方法であって、前記ランナーまたは歩行者は衣服（１）を着用し、前記方法は、
ａ）前記ランナーまたは歩行者によって着用されるまたは携帯される速度計（２）によって実際の前記速度（ｖ）を判断することと、
ｂ）前記実際の速度（ｖ）と所定の基準速度（ｖ0）との間の速度差（Δｖ）を算出することと、
ｃ）前記速度差（Δｖ）を光信号に変換することであって、前記光信号は前記速度差（Δｖ）に対応する、変換することと、
ｄ）発光素子（３）によって前記光信号を表示することと、を含み、
ステップｃ）において、前記速度差（Δｖ）に応じて前記光信号の少なくとも１つの所定の色を定めることによって、変換が行われ、
前記実際の速度（ｖ）が前記基準速度（ｖ0）の第１の所定の割合を下回る場合に第１の色が表示され、
前記実際の速度（ｖ）が前記基準速度（ｖ0）の第２の所定の割合を上回る場合に前記第１の色と異なる第２の色が表示され、
前記実際の速度（ｖ）が前記基準速度（ｖ0）の前記第１の所定の割合を上回り、かつ前記基準速度（ｖ0）の前記第２の所定の割合を下回る場合に、光信号は表示されず、または前記第１の色および前記第２の色と異なる第３の色が表示され、
前記速度計は、ＧＰＳモジュール（４）を有する電子デバイスを含むまた電子デバイスであり、前記実際の速度（ｖ）は、前記ＧＰＳモジュール（４）によって検出される位置の変化、および前記位置の変化中に経過した時間によって判断され、携帯電話（５）の一部であるＧＰＳモジュール（４）が使用され、
ステップｄ）に従って前記光信号を表示することは、前記衣服（１）に取り付けられるまたは組み込まれるグラスファイバーまたは光ファイバーの形態の発光素子（３）によって行われることを特徴とする、方法。
【請求項２】
速度判断は、前記携帯電話（５）におけるアプリによって行われることを特徴とする、請求項１に記載の方法。
【請求項３】
前記速度差（Δｖ）を前記光信号に変換することは、前記携帯電話（５）におけるアプリによって行われることを特徴とする、請求項１または２に記載の方法。
【請求項４】
前記第１の所定の割合および／または前記第２の所定の割合は、１％〜１０％であることを特徴とする、請求項１から３のいずれか一項に記載の方法。
【請求項５】
前記第１の色は赤であることを特徴とする、請求項１から４のいずれか一項に記載の方法。
【請求項６】
前記第２の色は青であることを特徴とする、請求項１から４のいずれか一項に記載の方法。
【請求項７】
前記第３の色は緑であることを特徴とする、請求項１から４のいずれか一項に記載の方法。
【国際調査報告】
2020505964.tif 000005
2020505964.tif 000006